(57)【要約】【課題】表示パネルユニットを左右のどちらからでも開閉できる構造とし、表示パネルユニットへの照明機能を損ねることなく、筐体内部の操作が容易となる遊技機を提供する。【解決手段】前面ドア９には表示パネルユニット１を支持している枠体２が装着される。表示パネルユニット１に取り付けられるシリンダー錠３１の回転によりローラ３Ａは揺動する。ローラ３Ａの揺動により、従動往復板４は表示パネルユニット１の左右方向と平行するように往復直線運動に変換される。傾斜板４Ａ・４Ｂは横設ピン５Ａ・５Ｂにすべり結合して垂直滑動回転軸１１の両縁部に突出する一対の回転ピン１Ｃを近接させる。垂直滑動回転軸１１の回転ピン１Ｃは枠体２との連結が解除され、垂直滑動回転軸１２を支軸として表示パネルユニット１を開閉可能とする。【選択図】      図２
2005021261.tif 000002
【特許請求の範囲】
【請求項１】
表示パネルユニットを支持している枠体が装着される遊技機であって、
前記表示パネルユニットは一対の垂直滑動回転軸を左右に配置しており、当該垂直滑動回転軸における上軸及び下軸が前記枠体にそれぞれ回転可能に結合しており、
当該遊技機に備えられているレバーを回転すると、当該レバーの角運動は確動カム装置と直動カム装置により一方の垂直滑動回転軸における上軸と下軸の近接運動に変換されて前記枠体との連結が解除され、他方の前記垂直滑動回転軸を支軸として前記表示パネルユニットを開閉可能とすることを特徴とする遊技機。
【請求項２】
表示パネルユニットを支持している枠体が装着される遊技機であって、
当該遊技機の前面に取り付けられるシリンダー錠と、
前記シリンダー錠の回転軸に一端が固定されており、当該シリンダー錠の回転により往復角運動するローラを他端に有するレバーと、
前記表示パネルユニットの前面と平行する板面を有しており、前記ローラの往復角運動が前記表示パネルユニットの左右方向と平行するように往復直線運動に変換される従動往復板と、
上下方向に対向する傾斜面を有しており、当該一対の傾斜面が前記往復直線に対して鋭角の二等分線をなすように前記従動往復板における左右の終縁部にそれぞれ配置されている二組の傾斜板と、
前記二組の傾斜板における一対の傾斜面にそれぞれの円周が当接して前記傾斜板とすべり結合する一対二組の横設ピンと、
前記一対の横設ピンを円周方向に突出するようにそれぞれ支持している上軸と下軸が互いに離間するように付勢されて軸中心方向に滑動可能に結合しており、当該軸中心が前記往復直線に対して直交するように前記表示パネルユニットの左右に配置されている一対の垂直滑動回転軸と、を備えており、
当該一対の垂直滑動回転軸の両縁部は表示パネルユニットの上下に突出する回転ピンを更に備えており、
当該回転ピンが前記枠体に回転可能にそれぞれ支持されており、
前記シリンダー錠をキーで回転すると、一方の前記垂直滑動回転軸の当該回転ピンは前記枠体との連結が解除され、他方の前記垂直滑動回転軸を支軸として前記表示パネルユニットを開閉可能とすることを特徴とする遊技機。
【請求項３】
表示パネルユニットを支持している枠体が装着される遊技機であって、
当該遊技機の前面に取り付けられるシリンダー錠と、
前記シリンダー錠の回転軸に一端が固定されており、当該シリンダー錠の回転により往復角運動するローラを他端に有するレバーと、
前記表示パネルユニットの前面と平行する板面を有しており、前記ローラの往復角運動が前記表示パネルユニットの左右方向と平行するように往復直線運動に変換される従動往復板と、
上下方向に対向する傾斜面を有しており、当該一対の傾斜面が前記往復直線に対して鋭角の二等分線をなすように前記従動往復板における左右の終縁部にそれぞれ配置されている二組の傾斜板と、
前記二組の傾斜板における一対の傾斜面にそれぞれの円周が当接して前記傾斜板とすべり結合する一対二組の横設ピンと、
前記一対の横設ピンを円周方向に突出するようにそれぞれ支持している上軸と下軸が互いに離間するように付勢されて軸中心方向に滑動可能に結合しており、当該軸中心が前記往復直線に対して直交するように前記表示パネルユニットの左右に配置されている一対の垂直滑動回転軸と、を備えており、
当該一対の垂直滑動回転軸の両縁部は表示パネルユニットの上下に埋設する軸受部を更に備えており、
当該軸受部が前記枠体から突出する回転軸に回転可能にそれぞれ支持されており、
前記シリンダー錠をキーで回転すると、一方の前記垂直滑動回転軸の当該軸受部は前記枠体との連結が解除され、他方の前記垂直滑動回転軸を支軸として前記表示パネルユニットを開閉可能とすることを特徴とする遊技機。
【請求項４】
請求項２又は３のいずれかに記載の遊技機において、
前記従動往復板に取り付けられ、当該従動往復板が中立の位置から左右のいずれかの方向に移動することを規制する設定ピンを備えており、
前記設定ピンの取り付けにより、前記表示パネルユニットは左右いずれかの方向にしか開閉しないことを特徴とする遊技機。
【請求項５】
請求項２から４のいずれかに記載の遊技機において、
側面から入射される光を前面側に向かって偏向する光偏向手段を背面に形成している導光板と、
前記導光板の側面に投光する光源と、を備えており、
前記導光板は前記表示パネルユニットに搭載されており、前記光源は前記枠体に配置されており、前記導光板と前記光源が分離可能であることを特徴とする遊技機。
【請求項６】
請求項２から５のいずれかに記載の遊技機において、
一方の前記垂直滑動回転軸を支軸として前記表示パネルユニットが開いた状態において、支軸となる当該垂直滑動回転軸の上軸及び下軸を付勢力に抗して互いに近づけることにより当該表示パネルユニットを前記枠体から分離可能とすることを特徴とする遊技機。
【発明の詳細な説明】
【０００１】
【発明の属する技術分野】
本発明は遊技機に関する。特に、パチスロ遊技機等における筐体の前面に取り付けられる表示パネルユニットに関する。
【０００２】
【従来の技術】
従来、パチスロ遊技機等のメダル遊技機は、メダルを貯留するホッパーや、エラー解除又は抽選確率を設定するときに操作されるスイッチを備える電源装置等を内蔵する筐体と、この筐体とヒンジで開閉可能に結合し、表示パネルユニット等を有する前面ドアで構成されている。
【０００３】
この前面ドアは遊技者の左手側がヒンジで筐体と結合しており、遊技者の右手側に配置されているドアキーを操作することによって、この前面ドアを開くことができる。この前面ドアを開くことにより、筐体内部を点検することができ、前述のスイッチを操作できる（例えば、特許文献１）。
【０００４】
一方、スタートレバーや３個のストップボタン等を配列している突出部とメダル受け皿の間には、腰部パネルと呼ばれる表示パネルユニットが取り付けられている。この表示パネルユニットは前面にキャラクター等が描かれた絵柄シートが配置され、この絵柄シートを背後から照明することにより遊技機を際立たせている。
【０００５】
【特許文献１】
特開２００２−３０６６７８号公報
【０００６】
【発明が解決しようとする課題】
しかしながら、従来の遊技機においては、前面ドアは左側にヒンジが取り付けられている左開きに開閉方向が特定されているため、ホールにおける遊技機の配置状況によっては、このような左開きに特定されることは不便な場合もある。
【０００７】
さらに、前面ドアは一般的には重く大きいものであり、繰り返しの開閉は容易ではない。メダルを補充する場合や、内部のスイッチを操作する場合に、その都度、前面ドアを開閉するよりも、前面ドアと比較して軽量の表示パネルユニットを開閉して筐体内部を操作できるほうが便利である。
【０００８】
【課題を解決するための手段】
本発明は、上述した課題に鑑みてなされたものであり、表示パネルユニットを左右のどちらからでも開閉できる構造とし、表示パネルユニットへの照明機能を損ねることなく、筐体内部の操作が容易となる遊技機を提供することを目的とする。
【０００９】
以上のような目的を達成するために、本発明の遊技機は、表示パネルユニットに一対の垂直滑動回転軸を配置し、いずれか一方の垂直滑動回転軸を支軸として表示パネルユニットを開閉可能とすることを特徴とする。
【００１０】
より具体的には、本発明は、以下のようなものを提供する。
【００１１】
（１）  表示パネルユニットを支持している枠体が装着される遊技機であって、前記表示パネルユニットは一対の垂直滑動回転軸を左右に配置しており、当該垂直滑動回転軸における上軸及び下軸が前記枠体にそれぞれ回転可能に結合しており、当該遊技機に備えられているレバーを回転すると、当該レバーの角運動は確動カム装置と直動カム装置により一方の垂直滑動回転軸における上軸と下軸の近接運動に変換されて前記枠体との連結が解除され、他方の前記垂直滑動回転軸を支軸として前記表示パネルユニットを開閉可能とすることを特徴とする遊技機。
【００１２】
（１）記載の発明によれば、レバーを一方の方向に回転操作すると、レバーの角運動は、確動カム装置（カムの回転により従動節が機構学的に拘束されるカム装置）により第１従動節の直線運動に変換される。第１従動節は表示パネルユニットの左右方向と平行移動するように予め規制されている。第１従動節の直線運動は、直動カム装置（カムの往復直線運動により従動節を動かすカム装置）により第２従動節となる一方の上軸と下軸の直線運動（近接運動）に変換される。上軸と下軸は表示パネルユニットの上下方向と平行移動するように予め規制されている。
【００１３】
このような機構を用いることにより、表示パネルユニットの左右に配置されている一対の垂直滑動回転軸における一方の垂直滑動回転軸と枠体との連結が解除され、他方の前記垂直滑動回転軸を支軸として前記表示パネルユニットを開閉可能とすることができる。つまり、レバーの操作により表示パネルユニットを左右どちらからでも開くことが可能になった。
【００１４】
（２）  表示パネルユニットを支持している枠体が装着される遊技機であって、当該遊技機の前面に取り付けられるシリンダー錠と、前記シリンダー錠の回転軸に一端が固定されており、当該シリンダー錠の回転により往復角運動するローラを他端に有するレバーと、前記表示パネルユニットの前面と平行する板面を有しており、前記ローラの往復角運動が前記表示パネルユニットの左右方向と平行するように往復直線運動に変換される従動往復板と、上下方向に対向する傾斜面を有しており、当該一対の傾斜面が前記往復直線に対して鋭角の二等分線をなすように前記従動往復板における左右の終縁部にそれぞれ配置されている二組の傾斜板と、前記二組の傾斜板における一対の傾斜面にそれぞれの円周が当接して前記傾斜板とすべり結合する一対二組の横設ピンと、前記一対の横設ピンを円周方向に突出するようにそれぞれ支持している上軸と下軸が互いに離間するように付勢されて軸中心方向に滑動可能に結合しており、当該軸中心が前記往復直線に対して直交するように前記表示パネルユニットの左右に配置されている一対の垂直滑動回転軸と、を備えており、当該一対の垂直滑動回転軸の両縁部は表示パネルユニットの上下に突出する回転ピンを更に備えており、当該回転ピンが前記枠体に回転可能にそれぞれ支持されており、前記シリンダー錠をキーで回転すると、一方の前記垂直滑動回転軸の当該回転ピンは前記枠体との連結が解除され、他方の前記垂直滑動回転軸を支軸として前記表示パネルユニットを開閉可能とすることを特徴とする遊技機。
【００１５】
（２）記載の発明によれば、従動往復板は横長穴が形成されており、この横長穴に立設ピンがすべり結合して、従動往復板は表示パネルユニットの左右方向のみに運動が限定される。
【００１６】
この従動往復板は上部中央部に矩形の切り欠き溝が形成されており、この切り欠き溝がレバーに取り付けられているローラとすべり結合する。つまり、レバーと従動往復板は、ローラの往復角運動が従動往復板の往復直線運動に変換される確動カム装置を構成している。
【００１７】
一方、矩形状の従動往復板の四隅には例えば、４５度の角度で４つの傾斜板が取り付けられている。そして、これら傾斜板の内壁（対向面）に円柱状の横設ピンの円周が線接触する。つまり、横設ピンと傾斜板はすべり結合している。
【００１８】
上軸の上端部は回転ピンが形成されており、上軸の下端部は摺動ピンが形成されている。下軸の下端部は回転ピンが形成されており、下軸の上端部は摺動ピンが嵌装される座ぐり穴が形成されている。
【００１９】
これら上軸と下軸が組み合わされて、表示パネルユニットの上下に突出する回転ピンを備える垂直滑動回転軸を構成している。これら上軸と下軸の間には圧縮コイルばねが介装され、上軸と下軸が互いに離間するように圧縮コイルばねで付勢されている。
【００２０】
また、これら上軸と下軸は例えば四角棒で形成されており、四角棒の垂直滑動回転軸の両縁部は、軸方向に滑動可能であるが軸回りに回転しないように表示パネルユニットに保持されている。このような上軸と下軸の側面から横設ピンが突出して、前記傾斜板とすべり結合している。つまり、対となる傾斜板と横設ピンはそれぞれの直線運動が直交する直動カム装置を構成している。
【００２１】
このような好ましい様態の開閉構造によれば、キーでシリンダー錠を一方の方向に回転操作すると、表示パネルユニットの左右に配置されている一対の垂直滑動回転軸における一方の垂直滑動回転軸の回転ピンと枠体の軸受穴との連結が解除され、他方の前記垂直滑動回転軸を支軸として前記表示パネルユニットを開閉可能とすることができる。
【００２２】
つまり、キーの操作により表示パネルユニットを左右どちらからでも開くことが可能になった。表示パネルユニットを閉じた状態でシリンダー錠を初期の状態に回転すれば、表示パネルユニットは施錠状態に復帰する。
【００２３】
（３）  表示パネルユニットを支持している枠体が装着される遊技機であって、当該遊技機の前面に取り付けられるシリンダー錠と、前記シリンダー錠の回転軸に一端が固定されており、当該シリンダー錠の回転により往復角運動するローラを他端に有するレバーと、前記表示パネルユニットの前面と平行する板面を有しており、前記ローラの往復角運動が前記表示パネルユニットの左右方向と平行するように往復直線運動に変換される従動往復板と、上下方向に対向する傾斜面を有しており、当該一対の傾斜面が前記往復直線に対して鋭角の二等分線をなすように前記従動往復板における左右の終縁部にそれぞれ配置されている二組の傾斜板と、前記二組の傾斜板における一対の傾斜面にそれぞれの円周が当接して前記傾斜板とすべり結合する一対二組の横設ピンと、前記一対の横設ピンを円周方向に突出するようにそれぞれ支持している上軸と下軸が互いに離間するように付勢されて軸中心方向に滑動可能に結合しており、当該軸中心が前記往復直線に対して直交するように前記表示パネルユニットの左右に配置されている一対の垂直滑動回転軸と、を備えており、当該一対の垂直滑動回転軸の両縁部は表示パネルユニットの上下に埋設する軸受部を更に備えており、当該軸受部が前記枠体から突出する回転軸に回転可能にそれぞれ支持されており、前記シリンダー錠をキーで回転すると、一方の前記垂直滑動回転軸の当該軸受部は前記枠体との連結が解除され、他方の前記垂直滑動回転軸を支軸として前記表示パネルユニットを開閉可能とすることを特徴とする遊技機。
【００２４】
（３）記載の発明によれば、上軸の上端部は軸受部が形成されており、上軸の下端部は摺動ピンが形成されている。下軸の下端部は軸受部が形成されており、下軸の上端部は摺動ピンが嵌装される座ぐり穴が形成されている。
【００２５】
これら上軸と下軸が組み合わされて、表示パネルユニットの上下に埋設する軸受部を備える垂直滑動回転軸を構成している。これら上軸と下軸の間には圧縮コイルばねが介装され、上軸と下軸が互いに離間するように圧縮コイルばねで付勢されている。
【００２６】
また、これら上軸と下軸は例えば四角棒で形成されており、四角棒の垂直滑動回転軸の両縁部は、軸方向には滑動可能であるが軸回りには回転しないように表示パネルユニットに保持されている。このような上軸と下軸の側面から横設ピンが突出して、前記傾斜板とすべり結合している。つまり、対となる傾斜板と横設ピンはそれぞれの直線運動が直交する直動カム装置を構成している。
【００２７】
このような好ましい様態の開閉構造によれば、キーでシリンダー錠を一方の方向に回転操作すると、表示パネルユニットの左右に配置されている一対の垂直滑動回転軸における一方の垂直滑動回転軸の軸受部と枠体から突出する回転軸との連結が解除され、他方の前記垂直滑動回転軸を支軸として前記表示パネルユニットを開閉可能とすることができる。
【００２８】
つまり、キーの操作により表示パネルユニットを左右どちらからでも開くことが可能になった。表示パネルユニットを閉じた状態でシリンダー錠を初期の状態に回転すれば、表示パネルユニットは施錠状態に復帰する。
【００２９】
（４）  （２）又は（３）のいずれかに記載の遊技機において、前記従動往復板に取り付けられ、当該従動往復板が中立の位置から左右のいずれかの方向に移動することを規制する設定ピンを備えており、前記設定ピンの取り付けにより、前記表示パネルユニットは左右いずれかの方向にしか開閉しないことを特徴とする遊技機。
【００３０】
（４）記載の発明によれば、望まれる方向のみに表示パネルユニットが開くように設定ピンを従動往復板に取り付けておけば、開閉方向を一義的に設定できる。このように、表示パネルユニットの開閉方向を一義的に設定することにより、表示パネルユニットの開く方向が、例えば、店内の設備と干渉する場合に、表示パネルユニットが好ましくない方向に開くことを制限できる。
【００３１】
（５）  （２）から（４）のいずれかに記載の遊技機において、側面から入射される光を前面側に向かって偏向する光偏向手段を背面に形成している導光板と、前記導光板の側面に投光する光源と、を備えており、前記導光板は前記表示パネルユニットに搭載されており、前記光源は前記枠体に配置されており、前記導光板と前記光源が分離可能であることを特徴とする遊技機。
【００３２】
（５）記載の発明によれば、表示パネルユニットのフレーム内には、透明板、絵柄シート、導光板の順序で前面から並べられている。導光板の前面（絵柄シート側）は、当該導光板の側面から入射され、光偏向手段で偏向される光を拡散させる光拡散手段が形成されており、この光拡散手段は導光板の前面に溝加工、エンボス加工及び印刷等を施すことにより実現されてよく、導光板と絵柄シートとの間に、乳白色材質等の拡散効果のある拡散シートを挿入することで実現してもよい。これら溝加工、エンボス加工は側面から入射される光量の減衰程度に対応して調和的に加工されてよく、導光板の前面を均一に照らし出すように加工されてよい。
【００３３】
導光板は、導光板の側面から入射される光を前面側に偏向させる光偏向手段を背面に形成しており、この光偏向手段は溝加工、エンボス加工及び印刷等を施すことにより偏向パターンが実現される。
【００３４】
一方、これらの光源は例えば、冷陰極管であり、前記導光板の上下又は左右側面に投光するように枠体に配置されている。又、これらの光源は、前記導光板の上下左右側面に投光するように枠体に配置されてもよい。これらの光源は、表示パネルユニットが開かれた状態において、枠体に残留している。このように構成することにより、光源と接続する電気ケーブルが表示パネルユニットの開閉に伴って捩れたり、引きずられることがなくなる。
【００３５】
（６）  （２）から（５）のいずれかに記載の遊技機において、一方の前記垂直滑動回転軸を支軸として前記表示パネルユニットが開いた状態において、支軸となる当該垂直滑動回転軸の上軸及び下軸を付勢力に抗して互いに近づけることにより当該表示パネルユニットを前記枠体から分離可能とすることを特徴とする遊技機。
【００３６】
（６）記載の発明によれば、表示パネルユニットを枠体から分離することができる。このような状態においては、例えば、冷陰極管の交換が容易となる。
【００３７】
【発明の実施の形態】
以下に、本発明の実施形態について図面に基づいて説明する。なお、以下の実施形態においては、本発明をメダル遊技機であるパチスロ遊技機に適用した実施例により説明するが、本発明はこれに限らず、ビデオ遊技機、カード遊技機等の各種遊技機に採用することができる。
【００３８】
図１は、本発明によるパチスロ遊技機の概略を示す外観図である。図１の実施形態において、パチスロ遊技機１００は、筐体１０と、この筐体１０とヒンジで開閉可能に結合し、筐体１０の前面開口部を覆う前面ドア９で構成されている。
【００３９】
図１に示されるように、前面ドア９の中央部には、筐体１０内に設置された回転リールの絵柄が視認できる表示窓を有する正面パネル９１が配置されている。正面パネル９１の下方には、突出部９２が設けられている。突出部９２には、３個のストップボタン９Ａ〜９Ｃやスタートレバー９Ｄが配列されている。
【００４０】
前面ドア９の最下方にはメダル受け皿９３が配設されており、突出部９２とメダル受け皿９３の間に、表示パネルユニット１を支持している枠体２が装着されている。表示パネルユニット１の前面にはシリンダー錠３１が取り付けられている。
【００４１】
図１において、腰パネルと呼ばれる表示パネルユニット１の奥側であって、筐体１０の内部には、図示されないホッパーや、エラー解除又は抽選確率を設定するときに操作されるスイッチを備える電源装置等が設置されている。なお、パチスロ遊技機１００は、正面パネル９１が前面ドア９として開閉する構造であってもよい。
【００４２】
次に、表示パネルユニット１の第１実施例における構成を図２により説明する。図２は表示パネルユニット１を裏面から観た斜視図である。
【００４３】
図２の第１実施例において、シリンダー錠３１は、表示パネルユニット１の前面縁部であって左右の概中心に取り付けられている。レバー３は、シリンダー錠３１の回転軸に一端が固定されており、当該シリンダー錠３１の回転により往復角運動するローラ３Ａを他端に有している。
【００４４】
従動往復板４は、表示パネルユニット１の前面と平行する板面を有しており、ローラ３Ａの往復角運動が表示パネルユニット１の左右方向と平行するように往復直線運動に変換される。
【００４５】
傾斜板４Ａと傾斜板４Ｂは上下方向に対向する傾斜面を有している。同様に、傾斜板４Ｃと傾斜板４Ｄは上下方向に対向する傾斜面を有している。
【００４６】
傾斜板４Ａ及び４Ｂにおける一対の傾斜面が前記往復直線に対して鋭角の二等分線をなすように従動往復板４における前面視左側の終縁部に傾斜板４Ａ及び４Ｂがそれぞれ配置されている。同様に、傾斜板４Ｃ及び４Ｄにおける一対の傾斜面が前記往復直線に対して鋭角の二等分線をなすように従動往復板４における正面視右側の終縁部に傾斜板４Ｃ及び４Ｄがそれぞれ配置されている。
【００４７】
一対の横設ピン５Ａ及び５Ｂはそれぞれの円周が対応する傾斜板４Ａ及び４Ｂにおける一対の傾斜面に当接して、傾斜板４Ａ及び４Ｂとすべり結合する。同様に、一対の横設ピン５Ｃ及び５Ｄはそれぞれの円周が対応する傾斜板４Ｃ及び４Ｄにおける一対の傾斜面に当接して、傾斜板４Ｃ及び４Ｄとすべり結合する。
【００４８】
上軸１Ａの上端部は回転ピン１Ｃが形成されており、上軸１Ａの下端部は摺動ピン１Ｄが形成されている。下軸１Ｂの下端部は回転ピン１Ｃが形成されており、下軸１Ｂの上端部は摺動ピン１Ｄが嵌装される座ぐり穴１Ｅが形成されている。
【００４９】
これら上軸１Ａと下軸１Ｂが組み合わされて、表示パネルユニット１の上下に突出する回転ピン１Ｃを備える垂直滑動回転軸１１及び１２を構成している。これら上軸１Ａと下軸１Ｂの間には圧縮コイルばね１Ｓが介装され、上軸１Ａと下軸１Ｂが互いに離間するように圧縮コイルばね１Ｓで付勢されている。
【００５０】
これら上軸１Ａと下軸１Ｂは、図２に示されるように四角棒で形成されており、四角棒の垂直滑動回転軸１１及び１２のそれぞれの両縁部は、軸方向には滑動可能であるが軸回りには回転しないようにすべり軸受６Ａ及び６Ｂで保持されている。このような上軸１Ａと下軸１Ｂの側面から横設ピン５Ａ〜５Ｄが突出して、対応する傾斜板４Ａ〜４Ｄとすべり結合している。つまり、対となる傾斜板４Ａ〜４Ｄと横設ピン５Ａ〜５Ｄはそれぞれの直線運動が直交する直動カム装置を構成している。
【００５１】
また、図２に示されるように、表示パネルユニット１は後方が開口した直方体状の箱型のフレーム６０で構成されている。フレーム６０の上面板６０Ａと下面板６０Ｂには、それぞれの内壁に一対のすべり軸受６Ａ及び６Ｂが固定されている。
【００５２】
そして、上面板６０Ａと下面板６０Ｂに相反するように突出した一組の回転ピン１Ｃは、枠体２の上部と下部に取り付けられている上部係合部材２０Ａと下部係合部材２０Ｂとで回転可能に支持されている。
【００５３】
このように構成されている表示パネルユニット１は、シリンダー錠３１をキー３２で回転すると、例えば、一方の垂直滑動回転軸１２の当該回転ピン１Ｃは枠体２との連結が解除され、他方の垂直滑動回転軸１１を支軸として表示パネルユニット１を開閉可能とする。
【００５４】
次に、図２に示される第１実施例による開閉機構の作用を図３により説明する。図３（ａ）は表示パネルユニット１の正面図、図３（ｂ）は図３（ａ）の横断面図、図３（ｃ）は図３（ａ）の縦断面図である。
【００５５】
なお、この開閉機構は左右線対称に配置されており、その動作も左右対称に実行されるため、右方の垂直滑動回転軸１２を支軸として表示パネルユニット１を開閉可能とするとして以下に説明する。
【００５６】
図３において、従動往復板４は横長穴４１が上下２箇所に形成されており、この横長穴４１に立設ピン４２がすべり結合して、従動往復板４は表示パネルユニット１の左右方向のみに運動が限定される。この立設ピン４２は、上面板６０Ａに下設されるアングル６０Ｃに片端支持されている。
【００５７】
また、従動往復板４は上部中央部に矩形の切り欠き溝４３が形成されており、この切り欠き溝４３がレバー３に取り付けられているローラ３Ａとすべり結合する。つまり、レバー３と従動往復板４は、ローラ３Ａの往復角運動が従動往復板４の往復直線運動に変換される確動カム装置を構成している。
【００５８】
図３の実施形態において、シリンダー錠３１を時計方向Ａに回転すると、従動往復板４は矢印Ｌの方向に移動し、シリンダー錠３１を反時計方向Ｂに回転すると、従動往復板４は矢印Ｒの方向に移動する。なお、図３は従動往復板４が中立の状態を示している。
【００５９】
一方、矩形状の従動往復板４の四隅には４５度の角度で４つの傾斜板４Ａ〜４Ｄが取り付けられている。そして、これら傾斜板４Ａ〜４Ｄの内壁（対向面）に円柱状の横設ピン５Ａ〜５Ｄの円周が線接触する。つまり、横設ピン５Ａ〜５Ｄと対応する傾斜板４Ａ〜４Ｄはすべり結合している。
【００６０】
図３の実施形態において、シリンダー錠３１を反時計方向Ｂに回転すると、従動往復板４は矢印Ｒの方向に移動する。従動往復板４の移動に伴って、一対の傾斜板４Ａ及び４Ｂは一対の横設ピン５Ａ及び５Ｂが互いに近づくように、垂直分力が作用する。
【００６１】
そして、上軸１Ａと下軸１Ｂが矢印Ｕで示された圧縮コイルばね１Ｓの付勢力に抗して矢印Ｄの方向に近接することにより、回転ピン１Ｃと枠体２との結合が解除される。そして、垂直滑動回転軸１２を支軸として表示パネルユニット１を開くことができる。
【００６２】
次に、表示パネルユニット１の第２実施例における構成を図４と図５により説明する。図４は表示パネルユニット１の要部斜視分解組立図である。図５（ａ）は表示パネルユニット１の縦断面図であり、図３（ｃ）に相当する。図５（ｂ）は図５（ａ）の右側面図であるとともに表示パネルユニット１の背面図である。
【００６３】
なお、第１実施例は表示パネルユニット１側に回転軸を設け、枠体２側に軸受を設けたのに対し、第２実施例は表示パネルユニット１側に軸受を設け、枠体２側に回転軸を設けたものである。したがって、以下の説明において、第１実施例と重複する説明は特に必要の無い限り割愛する。また、第２実施例における開閉機構においても、構成と作用は左右対称であるので、垂直滑動回転軸１１を基に説明するものとする。
【００６４】
図４の実施形態において、上軸１Ａの上端部は軸受部１Ｆの第１軸部１１Ｆが圧入される穴１０Ｃが形成されており、上軸１Ａの下端部は摺動ピン１Ｄが形成されている。下軸１Ｂの下端部は軸受部１Ｆの第１軸部１１Ｆが圧入される穴１０Ｃが形成されており、下軸１Ｂの上端部は摺動ピン１Ｄが嵌装される座ぐり穴１Ｅが形成されている。
【００６５】
軸受部１Ｆの軸部は、第１軸部１１Ｆと第２軸部１２Ｆで構成されている。当該軸部は第２軸部１２Ｆの直径が第１軸部１１Ｆの直径より大きい段付き棒になっている。軸受部１Ｆの頭部は、円錐体に形成されており、その頂部は回転軸２Ｃの軸部２０Ｃと回転結合する軸穴１３Ｆが形成されている。
【００６６】
一方、上面板６０Ａの内壁には軸受板６Ｃが固定されており、この軸受板６Ｃにすべり軸受６Ａが固定されている。同様に、下面板６０Ｂの内壁には軸受板６Ｃが固定されており、この軸受板６Ｃにすべり軸受６Ｂが固定されている。
【００６７】
また、図４に示されるように、上部係合部材２０Ａは鍔付きの回転軸２Ｃを固定している。同様に、下部係合部材２０Ｂは鍔付きの回転軸２Ｃを固定している。これら一対の回転軸２Ｃの軸部２０Ｃは同軸であり、対向するように上部係合部材２０Ａと下部係合部材２０Ｂから突出している。
【００６８】
図５に示されるように、これら上軸１Ａと下軸１Ｂが組み合わされて、表示パネルユニット１の上下に軸受部１Ｆの頭部が僅かに突出する垂直滑動回転軸１１を構成している。これら上軸１Ａと下軸１Ｂの間には圧縮コイルばね１Ｓが介装され、上軸１Ａと下軸１Ｂが互いに離間するように圧縮コイルばね１Ｓで付勢されている。
【００６９】
そして、上面板６０Ａと下面板６０Ｂに相反するように突出した一組の軸受部１Ｆは、上部係合部材２０Ａと下部係合部材２０Ｂにそれぞれ取り付けられている回転軸２Ｃで回転可能に支持されている。
【００７０】
図３の第１実施例で説明されたのと同様に、図５に示される垂直滑動回転軸１１は、従動往復板４が矢印Ｒの方向に移動すると従動往復板４の移動に伴って、一対の傾斜板４Ａ及び４Ｂは一対の横設ピン５Ａ及び５Ｂが互いに近づくように、垂直分力が作用する。
【００７１】
そして、上軸１Ａと下軸１Ｂが矢印Ｕで示された圧縮コイルばね１Ｓの付勢力に抗して矢印Ｄの方向に近接することにより、軸受部１Ｆと回転軸２Ｃとの結合が解除される。そして、垂直滑動回転軸１２（図３参照）を支軸として表示パネルユニット１を開くことができる。
【００７２】
次に、表示パネルユニット１の開閉方向を一義的に設定できる実施例を図２と図３を参照して説明する。
【００７３】
図２に示されるように、この発明は設定ピン７が予め用意されている。設定ピン７は先端部が雄ねじ部７Ａであり、軸部７Ｂより直径の大きい把持部７Ｃで構成されている。
【００７４】
一方、図３（ａ）に示されるように、従動往復板４には、アングル６０Ｃの下設片の左右に雌ねじ４４Ｒ及び４４Ｌが形成されている。この二つの雌ねじ４４Ｒ及び４４Ｌのどちらか一方に設定ピン７が取り付けられることにより、表示パネルユニット１の開閉方向を一義的に設定できる。
【００７５】
図３（ａ）において、右側の雌ねじ４４Ｒに設定ピン７が固定された場合は、レバー３を中立の状態から時計方向Ａに回転させようとしても、設定ピン７の軸部７Ｂがアングル６０Ｃの下設片に当接して従動往復板４は矢印Ｌの方向には移動できない。すなわち、レバー３は中立の状態から反時計方向Ｂにのみ回転できる。したがって、表示パネルユニット１は、左側の回転ピン１Ｃと枠体２との結合が解除され、右側の垂直滑動回転軸１１を支軸として開くように制限される。
【００７６】
一方、図３（ａ）において、左側の雌ねじ４４Ｌに設定ピン７が固定された場合は、レバー３を中立の状態から反時計方向Ｂに回転させようとしても、設定ピン７の軸部７Ｂがアングル６０Ｃの下設片に当接して従動往復板４は矢印Ｒの方向には移動できない。すなわち、レバー３は中立の状態から時計方向Ａにのみ回転できる。したがって、表示パネルユニット１は、右側の回転ピン１Ｃと枠体２との結合が解除され、左側の垂直滑動回転軸１２を支軸として開くように制限される。
【００７７】
次に、この発明による表示パネルユニットにおける照明構造の実施形態を図６により説明する。図６（ａ）は表示パネルユニット１の背面図、図６（ｂ）は図６（ａ）の上面図、図６（ｃ）は図６（ａ）の右側面図である。
【００７８】
図６の実施形態において、表示パネルユニット１のフレーム６０内には、透明板６１、絵柄シート６２、導光板６３の順序で前面から並べられている。これら透明板６１、絵柄シート６２、導光板６３は同形の矩形状に形成されている。
【００７９】
導光板６３は、導光板６３の側面から入射される光を前面側に偏向させる光偏向手段を背面６３Ｂに形成しており、この光偏向手段は溝加工、エンボス加工及び印刷等を施すことにより偏向パターンが実現される。
【００８０】
これら溝加工、エンボス加工は側面から入射される光量の減衰程度に対応して調和的に加工されてよく、導光板６３の前面６３Ａを均一に照らし出すように加工されてよい。
【００８１】
導光板６３の前面６３Ａ（絵柄シート６２側）には、導光板６３の側面から入射され、上述する光偏向手段で偏向される光を拡散する光拡散手段が形成されている。この光拡散手段は導光板６３の前面６３Ａに溝加工、エンボス加工及び印刷等を施すことにより実現される。なお、当該光拡散手段は、導光板６３の前面６３Ａに形成せずに、導光板６３と絵柄シート６２との間に、乳白色材質等の拡散効果のある拡散シートを挿入することで実現してもよい。
【００８２】
そして、フレーム６０の上面板６０Ａと下面板６０Ｂには、導光板６３の上下側面に概対応する個所にそれぞれ矩形の開口部６０１及び６０２が形成されている。また、フレーム６０の左右側面には、導光板６３の左右側面に概対応する個所にそれぞれ矩形の開口部６０３及び６０４が形成されている。
【００８３】
一方、図６に示されるように、枠体２の内部には、上部と下部に冷陰極管８Ａ及び８Ｂが配置されている。同様に、枠体２の内部には、左右に冷陰極管８Ｃ及び８Ｄが配置されている。
【００８４】
冷陰極管８Ａ及び８Ｂは、開口部６０１及び６０２を介して導光板６３の上下側面に投光しており、冷陰極管８Ｃ及び８Ｄは、開口部６０３及び６０４を介して導光板６３の左右側面に投光している。
【００８５】
フレーム６０内に配置された透明板６１と絵柄シート６２と導光板６３は、背面側に傾倒することを防止するために、フレーム６０内の四隅に取り付けられたコーナー板６０５及び６０６により保持されている。
【００８６】
図７は、垂直滑動回転軸１１を支軸として表示パネルユニット１が開いた状態図である。また、２点鎖線で描かれた表示パネルユニット１は、垂直滑動回転軸１２を支軸として表示パネルユニット１が開いた状態図である。
【００８７】
図７に示されるように、表示パネルユニット１が開かれた状態において、冷陰極管８Ａ〜８Ｄ（図６参照）は枠体２内に残っている。このように表示パネルユニット１の開閉に伴って、光源が移動しないので、光源と接続する電気ケーブルが表示パネルユニットの開閉に伴って捩れたり、引きずられることがなくなる。
【００８８】
図７においては、垂直滑動回転軸１１の上軸１Ａ及び下軸１Ｂを互いに近づけることにより、表示パネルユニット１を枠体２から分離することもできる。このように、表示パネルユニット１を枠体２から分離することにより、例えば、冷陰極管の交換が容易となる。
【００８９】
さらに、図７においては、開口部６０４から透明板６１、絵柄シート６２、導光板６３のいずれか又は全てを取り出すことができ、別の部品と交換することもできる。
【００９０】
この発明は、表示パネルユニットは一対の垂直滑動回転軸を左右に配置しており、当該垂直滑動回転軸における上軸及び下軸が前記枠体にそれぞれ回転可能に結合しており、前記表示パネルユニットに保持されているレバーを回転すると、当該レバーの角運動は確動カム装置と直動カム装置により一方の垂直滑動回転軸における上軸と下軸の近接運動に変換されて前記枠体との連結が解除され、他方の前記垂直滑動回転軸を支軸として前記表示パネルユニットを開閉可能とする。
【００９１】
このように、表示パネルユニットを左右どちらでも開閉できるので、遊技機の設置位置により表示パネルユニットを好ましい方向に開閉できる。隣接する遊技機の内部を操作又は点検するときには、２台の表示パネルユニットを観音開きにすることで、作業性の向上が図れる。さらに、設定ピンを取り付けることにより、表示パネルユニットの開閉方向を一義的に選択できる。
【００９２】
なお、上述の実施例においては、レバー３は表示パネルユニット１に取り付けられるものとしたが、レバー３を取り付ける場所は表示パネルユニット１に限らない。例えば、レバー３は、筐体１０または前面ドア９に取り付けるものであってよい。より具体的には、ストップボタン９Ａ〜９Ｃやスタートレバー９Ｄの直下の位置である。
【００９３】
【発明の効果】
この発明によれば、表示パネルユニットに一対の垂直滑動回転軸を配置し、いずれか一方の垂直滑動回転軸を支軸として表示パネルユニットを左右いずれか好ましい方向に開閉できる。
【図面の簡単な説明】
【図１】本発明におけるパチスロ遊技機の概略を示す外観図である。
【図２】本発明における表示パネルユニットの第１実施例における構成図であり、表示パネルユニットを裏面から観た斜視図である。
【図３】本発明における第１実施例による開閉機構の作用を説明する図である。
【図４】本発明における表示パネルユニットの第２実施例における構成図であり、表示パネルユニットの要部斜視分解組立図である。
【図５】本発明における表示パネルユニットの第２実施例における構成図である。
【図６】本発明における表示パネルユニットにおける照明構造の実施形態を示す図である。
【図７】本発明における、垂直滑動回転軸を支軸として表示パネルユニットが開いた状態図である。
【符号の説明】
１  表示パネルユニット
２  枠体
３  レバー
４Ａ〜４Ｄ  傾斜板
５Ａ〜５Ｄ  横設ピン
６Ａ・６Ｂ  軸受
７  設定ピン
８Ａ〜８Ｄ  冷陰極管
９  前面ドア
１０  筐体
１１・１２  垂直滑動回転軸
【図１】
2005021261.tif 000003
【図２】
2005021261.tif 000004
【図３】
2005021261.tif 000005
【図４】
2005021261.tif 000006
【図５】
2005021261.tif 000007
【図６】
2005021261.tif 000008
【図７】
2005021261.tif 000009